(57)【要約】【課題】楽曲が利用されている映像コンテンツの情報をユーザが知得すること。【解決手段】無線通信システムは、互いに通信リンクを接続して無線通信を行える携帯型音楽再生装置及び映像再生装置を備える。携帯型音楽再生装置では、ステップ１０２で楽曲関連データを映像再生装置に送信すると、ステップ１０３で楽曲関連データに合致する付随楽曲関連データに関連付けられているタイトル情報を映像再生装置から受信する。一方、映像再生装置では、携帯型音楽再生装置から楽曲関連データを受信すると、楽曲関連データに合致する付随楽曲データに関連付けられているタイトル情報を取得し、そのタイトル情報を携帯型音楽再生装置に送信する。【選択図】図３
2008148236.tif 000002
【特許請求の範囲】
【請求項１】
第１の無線通信装置と、当該第１の無線通信装置と通信リンクを接続して無線通信する第２の無線通信装置とを備える無線通信システムであって、
前記第１の無線通信装置は、
前記第２の無線通信装置と通信リンクを接続して通信する第１の無線通信手段と、
楽曲データを再生する楽曲再生手段と、
前記楽曲再生手段が再生する楽曲データに関する楽曲関連データを前記第１の無線通信手段によって前記第２の無線通信装置に送信させる送信制御手段とを有し、
前記第２の無線通信装置は、
前記第１の無線通信装置と通信リンクを接続して通信する第２の無線通信手段と、
映像データを再生する映像再生手段と、
前記映像再生手段による前記映像データの再生に付随して再生される楽曲データに関する付随楽曲関連データと、当該映像データとを関連付けて記憶する記憶手段と、
前記第１の無線通信装置から受信した前記楽曲関連データを用いて前記記憶手段を検索する検索手段と、
前記検索手段の検索結果を前記第１の無線通信装置に提示する提示手段とを有することを特徴とする無線通信システム。
【請求項２】
他の無線通信装置と通信リンクを接続して無線通信し、前記他の無線通信装置が再生する楽曲データに関連する楽曲関連データを前記他の無線通信装置から受信する無線通信手段と、
映像データを再生する映像再生手段と、
前記映像再生手段による前記映像データの再生に付随して再生される楽曲データに関する付随楽曲関連データと、当該映像データとを関連付けて記憶する記憶手段と、
前記他の無線通信装置から受信した前記楽曲関連データを用いて前記記憶手段を検索する検索手段と、
前記検索手段の検索結果を前記第１の無線通信装置に提示する提示手段とを備えることを特徴とする無線通信装置。
【請求項３】
前記映像再生手段は、前記検索手段による検索結果に関連する映像データの再生要求指示を前記他の無線通信装置から受信したとき、当該映像データの再生に付随して再生される楽曲データのうち前記他の無線通信装置から送信された前記楽曲関連データに関する楽曲データの再生開始位置から当該映像データを再生することを特徴とする請求項２に記載された無線通信装置。
【請求項４】
前記映像再生手段は、前記検索結果に関連する映像データが一つであったとき、前記再生要求指示によらずに当該映像データを再生することを特徴とする請求項３に記載された無線通信装置。
【請求項５】
前記検索手段は、前記楽曲関連データに合致する付随楽曲関連データを前記記憶手段が記憶しているとき、当該付随楽曲関連データに関連付けられている映像データを検索し、
前記無線通信手段は、前記検索手段が検索した前記映像データのタイトル情報を検索結果として前記他の無線通信装置に送信することを特徴とする請求項２〜４のいずれか一項に記載された無線通信装置。
【請求項６】
前記無線通信手段は、ＡＶＲＣＰ（Audio/VideoRemote Control Profile）に対応したＢｌｕｅｔｏｏｔｈ（登録商標）による無線通信を行うことを特徴とする請求項２〜５のいずれか一項に記載された無線通信装置。
【請求項７】
他の無線通信装置と通信リンクを接続して無線通信する無線通信手段と、
楽曲データを再生する楽曲再生手段と、
前記楽曲再生手段が再生する楽曲データに関する楽曲関連データを前記無線通信手段によって前記他の無線通信装置に送信させる送信制御手段とを備えることを特徴とする無線通信装置。
【請求項８】
前記送信制御手段は、前記他の無線通信装置から受信した前記楽曲関連データに関連している映像データの再生を前記他の無線通信装置に要求する再生要求指示を、前記無線通信手段から前記他の無線通信装置に送信させることを特徴とする請求項７に記載された無線通信装置。
【請求項９】
前記無線通信手段は、前記楽曲再生手段による楽曲データの再生中に、当該楽曲データに関する楽曲関連データを前記他の無線通信装置に送信することを特徴とする請求項７又は８に記載された無線通信装置。
【請求項１０】
前記無線通信手段は、ＡＶＲＣＰに対応したＢｌｕｅｔｏｏｔｈ（登録商標）による無線通信を行うことを特徴とする請求項７〜９のいずれか一項に記載された無線通信装置。
【発明の詳細な説明】
【技術分野】
【０００１】
本発明は、無線通信装置及び無線通信システムに関する。
【背景技術】
【０００２】
従来、ＤＶＤ／ＣＤドライブと、映像コンテンツを複数記憶しているハードディスクドライブ（ＨＤＤ：Hard Disk Drive）と、テレビモニタとを備えたテレビジョン受像機が知られている。この種のテレビジョン受像機では、ＤＶＤ／ＣＤドライブにセットされたＤＶＤ又はＣＤが音声コンテンツのみを含むものである場合に、その音声コンテンツに関連する映像コンテンツをＨＤＤから選択し、その音声コンテンツのバックグラウンドビデオとして選択された映像コンテンツをテレビモニタに表示させる（例えば、特許文献１参照）。
【特許文献１】特開２００５−２３６８２９号公報
【発明の開示】
【発明が解決しようとする課題】
【０００３】
近年、Ｂｌｕｅｔｏｏｔｈ（登録商標）や無線ＬＡＮ（LocalArea Network）等の無線通信手段を備え、楽曲データをパーソナルコンピュータやインターネット上の楽曲配信サイトとの間で送受信することが可能な携帯型オーディオプレーヤが広く普及している。一方、ＤＶＤや地上波デジタル放送等の中には、映像データと共に種々のデータを付帯データとしてユーザに提供することができるものが存在している。この付帯データとしては、例えば、映像データ内で利用されている楽曲データを購入することができるインターネット上のＵＲＬ情報があり、ユーザは、簡単な操作でインターネットを通じて楽曲データを購入することができるようになっている。そのため、映像再生装置で映画や地上波デジタル放送を視聴したユーザが、付帯データであるＵＲＬ情報を用いて、映画のサウンドトラックや、テレビ番組の主題歌又はエンディングテーマ曲等の楽曲データを購入し、携帯型オーディオプレーヤで聴くことが想定される。
【０００４】
しかしながら、携帯型オーディオプレーヤと従来のテレビジョン受像機との間では、たとえ無線通信ができても、有機的な連携がなされることはなかった。そのため、例えば、携帯型オーディオプレーヤを用いて楽曲を聴いているときに、ユーザが聞いている音楽がどのような映像コンテンツ内で利用されているのかを知りたいと思っても、それを知りたいというユーザの要求を満足することはできなかった。
【０００５】
本発明は、楽曲が利用されている映像コンテンツの情報をユーザが知得することが可能な無線通信装置及び無線通信システムを提供することを目的とする。
【課題を解決するための手段】
【０００６】
本発明に係る無線通信システムは、第１の無線通信装置と、その第１の無線通信装置と通信リンクを接続して無線通信する第２の無線通信装置とを備える無線通信システムであって、第１の無線通信装置は、第２の無線通信装置と通信リンクを接続して通信する第１の無線通信手段と、楽曲データを再生する楽曲再生手段と、楽曲再生手段が再生する楽曲データに関する楽曲関連データを第１の無線通信手段によって第２の無線通信装置に送信させる送信制御手段とを有し、第２の無線通信装置は、第１の無線通信装置と通信リンクを接続して通信する第２の無線通信手段と、映像データを再生する映像再生手段と、映像再生手段による映像データの再生に付随して再生される楽曲データに関する付随楽曲関連データと、その映像データとを関連付けて記憶する記憶手段と、第１の無線通信装置から受信した楽曲関連データを用いて記憶手段を検索する検索手段と、検索手段の検索結果を第１の無線通信装置に提示する提示手段とを有することを特徴とする。
【０００７】
また、本発明に係る無線通信装置は、他の無線通信装置と通信リンクを接続して無線通信し、他の無線通信装置が再生する楽曲データに関連する楽曲関連データを他の無線通信装置から受信する無線通信手段と、映像データを再生する映像再生手段と、映像再生手段による映像データの再生に付随して再生される楽曲データに関する付随楽曲関連データと、その映像データとを関連付けて記憶する記憶手段と、他の無線通信装置から受信した楽曲関連データを用いて記憶手段を検索する検索手段と、検索手段の検索結果を第１の無線通信装置に提示する提示手段とを備えることを特徴とする。
【０００８】
また、本発明に係る別の無線通信装置は、他の無線通信装置と通信リンクを接続して無線通信する無線通信手段と、楽曲データを再生する楽曲再生手段と、楽曲再生手段が再生する楽曲データに関する楽曲関連データを無線通信手段によって他の無線通信装置に送信させる送信制御手段とを備えることを特徴とする。
【発明の効果】
【０００９】
本発明によれば、楽曲が利用されている映像コンテンツの情報をユーザが知得することが可能となる。
【発明を実施するための最良の形態】
【００１０】
本発明の好適な実施形態について、図面を参照して説明する。なお、説明において、同一要素又は同一機能を有する要素には同一符号を用いることとし、重複する説明は省略する。
【００１１】
まず、図１及び図２を参照して、本実施形態に係る無線通信システム１の全体構成について説明する。図１は、本実施形態に係る無線通信システムの全体構成を示すブロック図である。図２は、映像再生装置の情報記憶部が記憶している情報の一例を示す図である。なお、本実施形態に登場する曲名及びアーティスト名は全て架空のものである。
【００１２】
無線通信システム１は、図１に示されるように、携帯型音楽再生装置（第１の無線通信装置）１０と、映像再生装置（第２の無線通信装置）２０とを備える。
【００１３】
携帯型音楽再生装置１０は、ＣＰＵ（CentralProcessing Unit）（楽曲再生手段、送信制御手段）１１、入力部１２、出力部１３、情報記憶部１４、無線通信部（第１の無線通信手段）１５を有する。携帯型音楽再生装置１０は、例えばＭＰ３プレイヤ等の携帯型オーディオプレーヤや、オーディオプレーヤの機能を備える携帯電話又はＰＤＡ等であり、ユーザの操作に応じて音楽（楽曲データ）の再生が可能となっている。
【００１４】
ＣＰＵ１１は、携帯型音楽再生装置１０の中央演算装置であり、入力部１２、出力部１３、情報記憶部１４及び無線通信部１５の制御を行う。ＣＰＵ１１は、情報記憶部１４に記憶されている楽曲データ（詳しくは後述する）を再生し、出力部１３から外部に出力させる。入力部１２は、ユーザからの指示やコマンドの入力操作が行われる部分であり、具体的にはボタンや十字キー等である。出力部１３は、再生されている楽曲データの再生信号を外部（ヘッドホンやスピーカ等）に出力する部分及びメニューや再生対象となる楽曲データの楽曲関連データ等を表示する部分となっており、具体的にはステレオミニジャック等の出力端子や液晶ディスプレイである。
【００１５】
情報記憶部１４は、携帯型音楽再生装置１０の制御プログラム、楽曲データ（例えば、ＷＡＶ形式データ、ＭＰ３形式データ、ＷＭＡ形式データ等）、楽曲データに関する楽曲関連データ等の各種情報を記憶している部分である。本実施形態において、楽曲関連データには、少なくとも曲名及びアーティスト名が含まれるものとなっている。情報記憶部１４では、楽曲データとその楽曲データの楽曲関連データとをそれぞれの楽曲データ毎に関連付けて記憶している（図示せず）。情報記憶部１４としては、例えば、フラッシュメモリやハードディスクドライブ（ＨＤＤ：Hard Disk Drive）が用いられる。
【００１６】
無線通信部１５は、映像再生装置２０との間で通信リンクを接続して無線通信を行う部分であり、具体的にはＢｌｕｅｔｏｏｔｈ（登録商標）や無線ＬＡＮ（Local Area Network）、ＩｒＤＡ（Infrared Data Association）等によって映像再生装置２０と接続される。
【００１７】
映像再生装置２０は、ＣＰＵ（CentralProcessing Unit）（映像再生手段、検索手段）２１、入力部２２、出力部２３、情報記憶部（記憶手段）２４、無線通信部（第２の無線通信手段、提示手段）２５を有する。映像再生装置２０は、例えばＨＤＤ搭載型ＤＶＤプレイヤであり、このようなＨＤＤ搭載型ＤＶＤプレイヤでは、ＤＶＤやＣＤ等の再生が可能な他、ＨＤＤに記憶されている映像コンテンツの再生も可能となっている。
【００１８】
ＣＰＵ２１は、映像再生装置２０の中央演算装置であり、入力部２２、出力部２３、情報記憶部２４及び無線通信部２５の制御を行う。ＣＰＵ２１は、情報記憶部２４に記憶されている映像データ（詳しくは後述する）を再生し、出力部２３から外部に出力させる。入力部２２は、ユーザによる入力操作が行われる部分であり、具体的にはボタンやスイッチ等である。出力部１３は、再生されている映像データや音声データの再生信号を外部（テレビやスピーカ等）に出力する部分となっており、具体的にはＨＤＭＩ（High Definition Multimedia Interface）（登録商標）端子、Ｄ端子、コンポジット端子といった出力端子である。
【００１９】
情報記憶部２４は、映像再生装置２０の制御プログラム、映像データ（例えば、映画やドラマ等の映像コンテンツがＭＰＥＧ１形式データ、ＭＰＥＧ２形式データ、ＭＰＥＧ４形式データ等となっているもの）、映像データのタイトル情報、無線通信部２５で送受信されるデータ等の各種情報を記憶している部分である。また、情報記憶部２４では、図２に示されるように、映像データ、その映像データのタイトル情報、その映像データの再生に付随して再生される楽曲データに関する付随楽曲関連データ及びその映像データの再生に付随して再生される楽曲データの再生が開始される再生開始位置を関連付けて記憶している。具体的には、図２に示されるように、映像コンテンツの映像タイトル情報「映画Ａ」、映像データ「映画Ａ．ｍｐｇ」、付随楽曲関連データ「曲名：砂の嵐、アーティスト名：田中一郎」、「曲名：太陽の向こう、アーティスト名：佐藤和子」、「曲名：エイプリル、アーティスト名：ＦｌａｔＨｉｌｌ」・・・、及び再生開始位置「００：０３：１５」、「００：２１：４３」、「０１：０８：５１」・・・が関連付けられている。情報記憶部２４としては、例えば、フラッシュメモリやハードディスクドライブ（ＨＤＤ：Hard Disk Drive）が用いられる。
【００２０】
無線通信部２５は、映像再生装置２０との間で無線通信を行う部分であり、具体的にはＢｌｕｅｔｏｏｔｈ（登録商標）や無線ＬＡＮ、ＩｒＤＡ（Infrared Data Association）等によって映像再生装置２０と接続される。
【００２１】
続いて、図３及び図４を参照して、本実施形態に係る無線通信システム１の動作について説明する。図３は、携帯型音楽再生装置１０の動作を示すフローチャートである。図４は、映像再生装置２０の動作を示すフローチャートである。なお、図３及び図４に示されるフローチャートでは、ステップをＳと略記している。また、本実施形態では、携帯型音楽再生装置１０の無線通信部１５と映像再生装置２０の無線通信部２５とが共にＢｌｕｅｔｏｏｔｈ（登録商標）モジュールであることを前提として説明する。
【００２２】
まず、携帯型音楽再生装置１０の動作について説明する。ステップ１０１では、映像再生装置２０との接続処理を開始する。具体的には、携帯型音楽再生装置１０の無線通信部１５と映像再生装置２０の無線通信部２５との間において、Ｂｌｕｅｔｏｏｔｈ（登録商標）の接続手順に従い、インクワイアリ・サービス探索を経て無線リンクを確立し、論理チャネルを構築した上で、ＡＶＲＣＰ（Audio/Video Remote Control Profile）と呼ばれるプロファイルの接続を確立する。こうして、携帯型音楽再生装置１０と映像再生装置２０との間でペアリングが完了する。なお、映像再生装置２０との接続処理を行う際に携帯型音楽再生装置１０で音楽を再生していてもよく、映像再生装置２０との接続処理が行われた後に音楽の再生を行うようにしてもよい。
【００２３】
なお、ここで、ＡＶＲＣＰは、ＡＶ機器のリモコン機能を実現するためのプロファイルであり、例えば、再生、停止、早送り等のコマンドを送信することができる。また、ここでは、メタデータを送信するための機能も定められているものとする。本実施形態では、携帯型音楽再生装置１０は、当該メタデータを送信する機能により、再生している楽曲データに関する楽曲関連データを送信する。
【００２４】
続いて、ステップ１０２に進んで、携帯型音楽再生装置１０において再生中の楽曲データを映像再生装置２０に送信する。具体的には、携帯型音楽再生装置１０において再生中の楽曲がどのような映像コンテンツで利用されているのかを知りたいと思ったユーザが、入力部１２を用いた入力操作をすると、ＣＰＵ１１が無線通信部１５を制御して、再生中の楽曲データに関する楽曲関連データを映像再生装置２０に送信する。楽曲関連データには、楽曲の曲名及びアーティスト名が少なくとも含まれている。例えば、ユーザが聴いている楽曲の曲名が「砂の嵐」で、アーティスト名が「田中一郎」であれば、これらの情報（曲名：砂の嵐、アーティスト名：田中一郎）が楽曲関連データとして映像再生装置２０に送信されることとなる。
【００２５】
続いて、ステップ１０３では、無線通信部１５が映像再生装置２０から後述する検索結果を受信するまで待機し、映像再生装置２０から検索結果を受信するとステップ１０４に進む。
【００２６】
続いて、ステップ１０４では、映像再生装置２０から受信した検索結果に映像データのタイトル情報が含まれているか否かをＣＰＵ１１が判断する。映像再生装置２０から受信した検索結果にタイトル情報が含まれているとＣＰＵ１１が判断するとステップ１０５に進むが、タイトル情報が含まれていないとＣＰＵ１１が判断するとステップ１０９に進む。
【００２７】
続いて、ステップ１０５では、映像再生装置２０から受信した検索結果に含まれるタイトル情報の一覧をユーザに提示する。具体的には、ＣＰＵ１１が出力部１３の液晶ディスプレイを制御して、液晶ディスプレイにタイトル情報の一覧を表示させる。
【００２８】
続いて、ステップ１０６では、ユーザからの再生要求があったか否かを判断する。具体的には、ステップ１０５において液晶ディスプレイに表示されたタイトル情報の一覧を見たユーザが、その一覧のうちから見たいと思うタイトル情報を入力部１２によって選択した場合、再生要求があったとしてステップ１０７に進む。そして、ステップ１０７では、ユーザが選択したタイトル情報に関連付けられている映像データを映像再生装置２０に再生させる再生コマンド（再生要求指示）をＣＰＵ１１が生成し、その再生コマンドをユーザが選択したタイトル情報と共に無線通信部１５により映像再生装置２０に送信して、ステップ１０９に進む。なお、ここでは上述のＡＶＲＣＰによって再生コマンドを映像再生装置２０に送信している。
【００２９】
一方、タイトル情報の一覧に見たいと思うタイトル情報が含まれていないとユーザが判断し、ユーザが入力部１２によってキャンセル操作等をした場合、ステップ１０８に進む。ステップ１０８では、映像再生装置２０の処理を終了させる終了コマンドをＣＰＵ１１が生成し、その終了コマンドを無線通信部１５により映像再生装置２０に送信して、ステップ１０９に進む。
【００３０】
ステップ１０９では、映像再生装置２０との接続処理を終了する。ステップ１０９の処理が行われると、携帯型音楽再生装置１０の処理が終了する。
【００３１】
続いて、映像再生装置２０の動作について説明する。ステップ２０１では、携帯型音楽再生装置１０との接続処理を開始する。具体的には、携帯型音楽再生装置１０の無線通信部１５からの接続要求を受け、無線リンクを確立する。こうして、携帯型音楽再生装置１０と映像再生装置２０との間でペアリングが完了する。
【００３２】
続いて、ステップ２０２では、無線通信部２５が携帯型音楽再生装置１０から楽曲関連データを受信するまで待機し、携帯型音楽再生装置１０から楽曲関連データを受信するとステップ２０３に進む。
【００３３】
続いて、ステップ２０３では、ステップ２０２で受信した楽曲関連データに基づいて、情報記憶部２４からタイトル情報を検索する。具体的には、楽曲関連データに含まれる曲名及びアーティスト名をキーとして情報記憶部２４の付随楽曲関連データをＣＰＵ２１によって検索し、楽曲関連データと合致する付随楽曲関連データに関連しているタイトル情報を情報記憶部２４から取得する。このとき、楽曲関連データの曲名及びアーティスト名の両方が合致した付随楽曲関連データに関連しているタイトル情報、楽曲関連データの曲名のみが合致した付随楽曲関連データに関連しているタイトル情報、及び楽曲関連データのアーティスト名のみ合致した楽曲関連データに関連しているタイトル情報を順にリスト化する。例えば、楽曲関連データとして携帯型音楽再生装置１０から送信された情報が「曲名：砂の嵐、アーティスト名：田中一郎」であった場合には、合致する付随楽曲関連データが情報記憶部２４に記憶されているので（図２参照）、その付随楽曲関連データと関連付けられているタイトル情報「映画Ａ」を取得する。
【００３４】
続いて、ステップ２０４では、ステップ２０３で取得したタイトル情報のリストを、無線通信部２５により検索結果として携帯型音楽再生装置１０に送信する。
【００３５】
続いて、ステップ２０５では、無線通信部２５が携帯型音楽再生装置１０から再生コマンド又は終了コマンドを受信するまで待機し、携帯型音楽再生装置１０から再生コマンド又は終了コマンドを受信するとステップ２０６に進む。なお、上述したように、再生コマンドは、タイトル情報と共に送信される。
【００３６】
続いて、ステップ２０６では、ステップ２０５において再生コマンド及び終了コマンドのどちらを受信したかを判断する。具体的には、ステップ２０５において受信したコマンドが再生コマンドであるとＣＰＵ１００が判断した場合、ステップ２０７に進む。ステップ２０７では、タイトル情報に関連付けられている映像データの再生を開始し、ステップ２０８に進む。具体的には、ＣＰＵ２１が情報記憶部２４を検索し、ステップ２０６で再生コマンドと共に受信したタイトル情報に合致するタイトル情報に関連付けられている映像データを情報記憶部２４から取得して、その映像データを再生する。例えば、タイトル情報が「映画Ａ」であった場合には、ＣＰＵ２１によって、このタイトル情報に関連付けられている映像データ「映画Ａ．ｍｐｇ」の再生が開始される。
【００３７】
このとき、ＣＰＵ２１によって情報記憶部２４を検索し、ステップ２０２で受信した楽曲関連データに合致する付随楽曲関連データに関連付けられている再生開始位置を情報記憶部２４から取得できる場合には、取得した再生開始位置から選択映像コンテンツの再生を開始するようにしてもよい。具体的には、楽曲関連データとして携帯型音楽再生装置１０から送信された情報が「曲名：砂の嵐、アーティスト名：田中一郎」であった場合、その楽曲関連データに関連付けられている再生開始位置が「００：０３：１５」であるので（図２参照）、映像データ「映画Ａ．ｍｐｇ」を３分１５秒から再生を開始させるようにしてもよい。
【００３８】
一方、ステップ２０５において受信したコマンドが終了コマンドであるとＣＰＵ１００が判断した場合、ステップ２０７の処理を行うことなくステップ２０８に進む。
【００３９】
続いて、ステップ２０８では、携帯型音楽再生装置１０との接続処理を終了する。ステップ２０８の処理が行われると、映像再生装置２０の処理が終了する。
【００４０】
以上のように、本実施形態においては、携帯型音楽再生装置１０と映像再生装置２０とがＢｌｕｅｔｏｏｔｈ（登録商標）等によって互いに無線による通信が可能となっている。映像再生装置２０の情報記憶部２４は、映像データ、タイトル情報、楽曲関連データ及び再生開始位置を関連付けて記憶している。そして、携帯型音楽再生装置１０は、再生中の楽曲データの楽曲関連データを携帯型音楽再生装置１０から映像再生装置２０に送信すると、楽曲関連データと合致する楽曲関連データに関連付けられているタイトル情報を映像再生装置２０から受信する。そのため、携帯型音楽再生装置１０のユーザは、携帯型音楽再生装置１０で楽曲を聴いているときでも、その楽曲が利用されている映像コンテンツのタイトル情報を知得することが可能となる。従って、ユーザが映像コンテンツを視聴する際の利便性が大きく向上する。
【００４１】
また、本実施形態では、映像再生装置２０が、タイトル情報が含まれる検索結果を携帯型音楽再生装置１０に送信し、ユーザが選択したタイトル情報と共に再生要求指示を携帯型音楽再生装置１０から受信したときに、情報記憶部２４に記憶されているタイトル情報のうちユーザが選択したタイトル情報と合致するタイトル情報に関連付けられている映像データの再生を行っている。そのため、ユーザは、映像コンテンツのタイトルを知得することができることに加え、その映像コンテンツを簡便に再生して視聴することが可能となる。
【００４２】
また、本実施形態では、楽曲関連データに一致する付随楽曲関連データに関連付けられている再生開始位置から映像データの再生を開始している。そのため、ユーザが聴いている音楽が映像コンテンツで再生される位置（シーン）から映像データの再生を開始することが可能となる。
【００４３】
また、本実施形態では、無線通信部１５，２５がＡＶＲＣＰプロファイルに対応したＢｌｕｅｔｏｏｔｈ（登録商標）による無線通信を行うようになっている。そのため、一つの接続で、携帯型音楽再生装置１０と映像再生装置２０との間における各種データの送受信及び携帯型音楽再生装置１０から映像再生装置２０への再生コマンドの送信が可能となっている。
【００４４】
以上、本発明の好適な実施形態について詳細に説明したが、本発明は上記した実施形態に限定されるものではない。例えば、本実施形態では、映像再生装置２０は、携帯型音楽再生装置１０からの再生コマンドの受信により選択映像コンテンツの再生を開始していたが、これに限られない。例えば、ステップ２０３でのタイトル情報の検索結果として、一つのタイトル情報しか取得されなかった場合には、携帯型音楽再生装置１０からの再生コマンドの受信を待たずに（再生コマンドの受信によらずに）直ちにそのタイトル情報に関連付けられている映像データを再生するようにしてもよい。また、同一の映像コンテンツ内に同一の楽曲関連データが異なる再生位置において利用されているような場合であって、ユーザがその楽曲の楽曲関連データを映像再生装置２０に送信した場合には、早い方の再生位置からその映像データを再生するようにしてもよい。
【００４５】
また、映像再生装置２０は、テレビ等の映像出力装置と一体となっていてもよく、別体となっていてもよい。
【図面の簡単な説明】
【００４６】
【図１】本実施形態に係る無線通信システムの全体構成を示すブロック図である。
【図２】映像再生装置の情報記憶部が記憶している情報の一例を示す図である。
【図３】携帯型音楽再生装置の動作を示すフローチャートである。
【図４】映像再生装置の動作を示すフローチャートである。
【符号の説明】
【００４７】
１…無線通信システム、１０…携帯型音楽再生装置（第１の無線通信装置）、１１…ＣＰＵ（楽曲再生手段、送信制御手段）、１５…無線通信部（第１の無線通信手段）、２０…映像再生装置（第２の無線通信装置）、２１…ＣＰＵ（映像再生手段、検索手段）、２４…情報記憶部（記憶手段）、２５…無線通信部（第２の無線通信手段、提示手段）。
【図１】
2008148236.tif 000003
【図２】
2008148236.tif 000004
【図３】
2008148236.tif 000005
【図４】
2008148236.tif 000006